(57)【特許請求の範囲】
【請求項１】
複数のデータラインが第１方向に沿って形成され、複数のゲートラインが第２方向に沿って形成され、複数の電極群にグループ化される複数の電極が形成されたパネルと、
駆動モードがタッチ駆動モードである場合に、前記複数の電極の全体又は一部にタッチ駆動信号を印加するタッチ集積回路と、
前記駆動モードがディスプレイ駆動モードである場合に、前記複数のデータラインにデータ電圧を供給するデータ駆動部と、
前記駆動モードが前記ディスプレイ駆動モードである場合に、前記複数のゲートラインにスキャン信号を順次に供給するゲート駆動部と、を含み、
前記タッチ駆動モードにおいて、前記タッチ集積回路が前記複数の電極の全体又は一部に前記タッチ駆動信号を印加する際、前記ゲート駆動部は前記タッチ駆動信号又は前記タッチ駆動信号に対応する信号を前記複数のゲートラインの全体又は一部に印加し、
前記タッチ駆動信号又は前記タッチ駆動信号に対応する信号を前記複数のゲートラインの一部に印加する場合に、前記ゲート駆動部は、
前記複数の電極群のうち、タッチセンシング電極群として選択された一つの電極群に対応する少なくとも一つのゲートラインに前記タッチ駆動信号又は前記タッチ駆動信号に対応する信号を印加し、
前記複数の電極群のうち、前記タッチセンシング電極群として選択された一つの電極群に隣り合う電極群に対応する少なくとも一つのゲートラインに前記タッチ駆動信号又は前記タッチ駆動信号に対応する信号を更に印加する、
ことを特徴とするタッチスクリーンパネル一体型表示装置。
【請求項２】
前記複数の電極のそれぞれに連結され、前記タッチ駆動信号を伝達する少なくとも一つの信号ラインが、前記第１方向又は前記第２方向に沿って前記パネルに形成されている
ことを特徴とする請求項１記載のタッチスクリーンパネル一体型表示装置。
【請求項３】
前記少なくとも一つの信号ラインは、前記パネルの第１基板に形成されたブラックマトリックスの領域に対向する前記パネルの第２基板の領域に形成されている
ことを特徴とする請求項２記載のタッチスクリーンパネル一体型表示装置。
【請求項４】
前記複数の電極群のそれぞれは、前記複数の電極において前記第１方向に沿って同一の列に形成された２つ以上の電極の集合体又は前記複数の電極において前記第２方向に沿って同一の行に形成された２つ以上の電極の集合体である
ことを特徴とする請求項１記載のタッチスクリーンパネル一体型表示装置。
【請求項５】
前記タッチ集積回路は、前記複数の電極の一部に前記タッチ駆動信号を印加する場合に、前記複数の電極がグループ化された前記複数の電極群のうち、タッチセンシング電極群として選択された一つの電極群に前記タッチ駆動信号を印加し、前記タッチセンシング電極群に隣り合う電極群にも前記タッチ駆動信号を更に印加する
ことを特徴とする請求項１記載のタッチスクリーンパネル一体型表示装置。
【請求項６】
複数のデータラインが第１方向に沿って形成され、複数のゲートラインが第２方向に沿って形成され、複数の電極群にグループ化される複数の電極が形成されたパネルと、
駆動モードがタッチ駆動モードである場合に、前記複数の電極の全体又は一部にタッチ駆動信号を印加するタッチ集積回路と、
前記駆動モードがディスプレイ駆動モードである場合に、前記複数のデータラインにデータ電圧を供給するデータ駆動部と、
前記駆動モードが前記ディスプレイ駆動モードである場合に、前記複数のゲートラインにスキャン信号を順次に供給するゲート駆動部と、を含み、
前記タッチ駆動モードにおいて、前記タッチ集積回路が前記複数の電極の全体又は一部に前記タッチ駆動信号を印加する際、前記ゲート駆動部は前記タッチ駆動信号又は前記タッチ駆動信号に対応する信号を前記複数のゲートラインの全体又は一部に印加し、
前記ゲート駆動部が前記タッチ駆動信号又は前記タッチ駆動信号に対応する信号を前記複数のゲートラインの一部に印加する場合に、
前記ゲート駆動部は、前記複数の電極群のうち、タッチセンシング電極群として選択された一つの電極群に対応する少なくとも一つのゲートラインに前記タッチ駆動信号又は前記タッチ駆動信号に対応する信号を印加し、
前記データ駆動部は、前記複数のデータラインの全体に前記タッチ駆動信号又は前記タッチ駆動信号に対応する信号を更に印加する
ことを特徴とする、タッチスクリーンパネル一体型表示装置。
【請求項７】
複数のデータラインが第１方向に沿って形成され、複数のゲートラインが第２方向に沿って形成され、複数の電極群にグループ化される複数の電極が形成されたパネルと、
駆動モードがタッチ駆動モードである場合に、前記複数の電極の全体又は一部にタッチ駆動信号を印加するタッチ集積回路と、
前記駆動モードがディスプレイ駆動モードである場合に、前記複数のデータラインにデータ電圧を供給するデータ駆動部と、
前記駆動モードが前記ディスプレイ駆動モードである場合に、前記複数のゲートラインにスキャン信号を順次に供給するゲート駆動部と、を含み、
前記駆動モードが前記タッチ駆動モードである場合に、前記タッチ駆動信号又は前記タッチ駆動信号に対応する信号が前記複数のゲートラインの全体又は一部に印加され、
前記タッチ駆動モードにおいて、前記タッチ集積回路が前記複数の電極の全体又は一部に前記タッチ駆動信号を印加する際、前記データ駆動部は、前記タッチ駆動信号又は前記タッチ駆動信号に対応する信号を前記複数のデータラインの全体又は一部に更に印加し、
前記データ駆動部は、前記タッチ駆動信号又は前記タッチ駆動信号に対応する信号を前記複数のデータラインの一部に印加する場合に、
前記複数の電極群のうち、タッチセンシング電極群として選択された一つの電極群に対応する少なくとも一つのデータライン、及び、
前記タッチセンシング電極群として選択された一つの電極群に隣り合う電極群に対応する少なくとも一つのデータラインに、
前記タッチ駆動信号又は前記タッチ駆動信号に対応する信号を印加する、
ことを特徴とする、タッチスクリーンパネル一体型表示装置。
【請求項８】
複数のデータラインが第１方向に沿って形成され、複数のゲートラインが第２方向に沿って形成され、複数の電極群にグループ化される複数の電極が形成されたパネルと、
駆動モードがタッチ駆動モードである場合に、前記複数の電極の全体又は一部にタッチ駆動信号を印加するタッチ集積回路と、
前記駆動モードがディスプレイ駆動モードである場合に、前記複数のデータラインにデータ電圧を供給するデータ駆動部と、
前記駆動モードが前記ディスプレイ駆動モードである場合に、前記複数のゲートラインにスキャン信号を順次に供給するゲート駆動部と、を含み、
前記駆動モードが前記タッチ駆動モードである場合に、前記タッチ駆動信号又は前記タッチ駆動信号に対応する信号が前記複数のゲートラインの全体又は一部に印加され、
前記タッチ駆動モードにおいて、前記タッチ集積回路が前記複数の電極の全体又は一部に前記タッチ駆動信号を印加する際、前記データ駆動部は、前記タッチ駆動信号又は前記タッチ駆動信号に対応する信号を前記複数のデータラインの全体又は一部に更に印加し、
前記データ駆動部が前記タッチ駆動信号又は前記タッチ駆動信号に対応する信号を前記複数のデータラインの一部に印加する場合に、前記ゲート駆動部は前記複数のゲートライン全体に前記タッチ駆動信号又は前記タッチ駆動信号に対応する信号を印加する
ことを特徴とする、タッチスクリーンパネル一体型表示装置。
【請求項９】
前記タッチ駆動信号又は前記タッチ駆動信号に対応する信号が、前記複数のゲートラインの全体又は一部に印加される際、キャパシタを介して印加される
ことを特徴とする請求項１記載のタッチスクリーンパネル一体型表示装置。
【請求項１０】
前記タッチ集積回路は、前記データ駆動部及び前記ゲート駆動部のうちの少なくとも一つを含む他のドライバ集積回路の内部に含まれるか、前記データ駆動部及び前記ゲート駆動部の外部に別途の構成で含まれるか、前記データ駆動部又は前記ゲート駆動部の内部に含まれる
ことを特徴とする請求項１記載のタッチスクリーンパネル一体型表示装置。
【請求項１１】
前記複数の電極は、前記駆動モードがタッチ駆動モードである場合に、前記タッチ駆動信号が全体又は一部に印加されるタッチ電極の役割を果たし、前記駆動モードがディスプレイ駆動モードである場合に、前記パネルに形成された画素電極との間に液晶キャパシタを形成するために共通電圧が印加される共通電極の役割を果たす
ことを特徴とする請求項１記載のタッチスクリーンパネル一体型表示装置。
【請求項１２】
前記画素電極と前記共通電極との間に水平電界が形成されるように、前記画素電極及び前記共通電極は同一の基板に形成されている
ことを特徴とする請求項１１記載のタッチスクリーンパネル一体型表示装置。
【請求項１３】
前記複数の電極のそれぞれは、ブロック形のパターン又はくし形の部分を含むパターンを有する
ことを特徴とする請求項１乃至１２記載のタッチスクリーンパネル一体型表示装置。
【請求項１４】
複数のデータライン及び複数のゲートラインが形成されて複数の画素が定義され、複数の共通電極が形成されたパネル及びタッチ集積回路を含むタッチスクリーンパネル一体型表示装置の駆動方法において、
ディスプレイ駆動タイミング時、前記複数の共通電極に共通電圧を印加するディスプレイ駆動段階と、
タッチ駆動タイミング時、前記複数の共通電極の全体又は一部にタッチ駆動信号を印加し、前記複数のゲートラインの全体又は一部に前記タッチ駆動信号又は前記タッチ駆動信号に対応する信号を更に印加するタッチ駆動段階と
を含み、
前記タッチ駆動信号又は前記タッチ駆動信号に対応する信号を前記複数のゲートラインの一部に印加する場合に、前記タッチ駆動段階は更に、
前記複数の共通電極のうち、タッチセンシング電極群として選択された一つの電極群に対応する少なくとも一つのゲートラインに前記タッチ駆動信号又は前記タッチ駆動信号に対応する信号を印加する段階と、
前記複数共通の電極のうち、前記タッチセンシング電極群として選択された一つの電極群に隣り合う電極群に対応する少なくとも一つのゲートラインに前記タッチ駆動信号又は前記タッチ駆動信号に対応する信号を印加する段階と、
を更に含むことを特徴とするタッチスクリーンパネル一体型表示装置の駆動方法。
【請求項１５】
複数のデータライン及び複数のゲートラインが形成されて複数の画素が定義され、複数の共通電極が形成されたパネル及びタッチ集積回路を含むタッチスクリーンパネル一体型表示装置の駆動方法において、
ディスプレイ駆動タイミング時、前記複数の共通電極に共通電圧を印加するディスプレイ駆動段階と、
タッチ駆動タイミング時、前記複数の共通電極の全体又は一部にタッチ駆動信号を印加し、前記複数のゲートラインの全体又は一部に前記タッチ駆動信号又は前記タッチ駆動信号に対応する信号を更に印加するタッチ駆動段階と、
を含み、
前記タッチ駆動信号又は前記タッチ駆動信号に対応する信号を前記複数のゲートラインの一部に印加する場合に、前記タッチ駆動段階は更に、
前記複数の共通電極のうち、タッチセンシング電極群として選択された一つの電極群に対応する少なくとも一つのゲートラインに前記タッチ駆動信号又は前記タッチ駆動信号に対応する信号を印加する段階と、
前記複数のデータラインの全体に前記タッチ駆動信号又は前記タッチ駆動信号に対応する信号を印加する段階と、
を更に含むことを特徴とするタッチスクリーンパネル一体型表示装置の駆動方法。
【発明の詳細な説明】
【技術分野】
【０００１】
本発明は、タッチスクリーンパネル一体型表示装置及びその駆動方法に関する。
【背景技術】
【０００２】
情報化社会の発展につれ、画像を表示するための表示装置に関する要求が様々な形態で高まっており、近年では、液晶表示装置（ＬＣＤ：Ｌｉｑｕｉｄ  Ｃｒｙｓｔａｌ  Ｄｉｓｐｌａｙ）、プラズマ表示装置（ＰＤＰ：Ｐｌａｓｍａ  Ｄｉｓｐｌａｙ  Ｐａｎｅｌ）、有機電界発光表示装置（ＯＬＥＤ：Ｏｒｇａｎｉｃ  Ｌｉｇｈｔ  Ｅｍｉｔｔｉｎｇ  Ｄｉｏｄｅ  Ｄｉｓｐｌａｙ Ｄｅｖｉｃｅ）などの多様な表示装置が活用されている。
【０００３】
このような表示装置には、ボタン、キーボード、マウスなどの通常の入力方式から脱皮し、ユーザが簡単に情報、又は命令を直観的、且つ便利に入力できるようにするタッチ基盤の入力方式が提供されている。
【０００４】
このようなタッチ基盤の入力方式を提供するためには、ユーザのタッチの有無を把握してタッチ座標を正確に検出することができなければならない。
【０００５】
そのため、従来は、抵抗膜方式、キャパシタンス方式、電磁誘導方式、赤外線方式、超音波方式などの様々なタッチ方式のいずれか一つのタッチ方式を採用してタッチセンシングを実現していた。
【０００６】
これら様々なタッチ方式のうち、タッチスクリーンパネルに形成された多数のタッチ電極（例：横方向の電極、縦方向の電極）を介してタッチ電極の間のキャパシタンス若しくはタッチ電極と指などのポインターとの間のキャパシタンスの変化を基にタッチの有無及びタッチ座標などを検出するキャパシタンスタッチ方式が数多く採用されている。
【先行技術文献】
【特許文献】
【０００７】
【特許文献１】特開２０１４−１１５６１３号公報
【発明の概要】
【発明が解決しようとする課題】
【０００８】
このようなキャパシタンスタッチ方式の場合、タッチセンシングに必要なキャパシタンス以外に、タッチ電極周辺の他の電圧ライン若しくは電極によって不要な寄生キャパシタンス（Ｐａｒａｓｉｔｉｃ Ｃａｐａｃｉｔａｎｃｅ）が形成される。
【０００９】
このように不要に形成される寄生キャパシタンスは、タッチ駆動の負荷（Ｌｏａｄ）を大きくしてタッチセンシングの正確度を低下したり、酷い場合には、タッチセンシング自体を不可能にしたりするなどの問題をもたらす。
【００１０】
このような不要な寄生キャパシタンスによる問題点は、中大型以上のディスプレイにおいてより深刻に発生する。
【００１１】
また、このような不要な寄生キャパシタンスによる問題点は、タッチスクリーンパネル（ＴＳＰ：Ｔｏｕｃｈ  Ｓｃｒｅｅｎ  Ｐａｎｅｌ）がインセル型（Ｉｎ−Ｃｅｌｌ）でディスプレイパネルに内蔵されたタッチスクリーンパネル一体型表示装置において頻繁に発生しており、中大型以上のインセル型のタッチスクリーンパネルの具現化を不可能にする要因となる。
【００１２】
このような背景から、本発明の目的は、タッチ駆動の負荷を大きくしてタッチセンシングの正確度を低下したり、タッチセンシング自体を不可能にしたりする虞のある寄生キャパシタンスの形成を防止するタッチスクリーンパネル一体型表示装置及びその駆動方法を提供することである。
【００１３】
また、本発明の他の目的は、従来は寄生キャパシタンスによって具現化できなかった中大型以上のタッチスクリーンパネル一体型表示装置を提供することである。
【課題を解決するための手段】
【００１４】
上記目的を達成するための本発明の一側面によれば、本発明は、複数のデータラインが第１方向に沿って形成され、複数のゲートラインが第２方向に沿って形成され、複数の電極群にグループ化される複数の電極が形成されたパネルと、駆動モードがタッチ駆動モードである場合に、上記複数の電極の全体又は一部にタッチ駆動信号を印加するタッチ集積回路と、上記駆動モードがディスプレイ駆動モードである場合に、上記複数のデータラインにデータ電圧を供給するデータ駆動部と、上記駆動モードが上記ディスプレイ駆動モードである場合に、上記複数のゲートラインにスキャン信号を順次に供給するゲート駆動部とを含み、上記駆動モードが上記タッチ駆動モードである場合に、上記タッチ駆動信号又は上記タッチ駆動信号に対応する信号が上記複数のゲートラインの全体又は一部に印加されることを特徴とする、タッチスクリーンパネル一体型表示装置を提供する。
【００１５】
上記駆動モードがタッチ駆動モードである場合に、上記タッチ駆動信号又は上記タッチ駆動信号に対応する信号が上記複数のデータラインの全体又は一部に更に印加することができる。
【００１６】
上記タッチ駆動信号又は上記タッチ駆動信号に対応する信号が上記複数のゲートラインの全体又は一部に印加される際、キャパシタを介して印加することができる。
【００１７】
他の側面によれば、本発明は、ディスプレイ駆動モードである場合に、共通電圧が印加され、タッチ駆動モードである場合に、タッチ駆動信号が全体又は一部に印加され、互いに離隔して形成された複数の電極と、第１方向に沿って形成され、上記ディスプレイ駆動モードである場合に、データの電圧が印加される複数のデータラインと、第２方向に沿って形成され、上記ディスプレイ駆動モードである場合に、スキャン信号が順次に供給され、上記タッチ駆動モードである場合に、上記タッチ駆動信号又は上記タッチ駆動信号に対応する信号が全体又は一部に印加される複数のゲートラインとを含むことを特徴とする、タッチスクリーンパネル一体型表示装置を提供する。
【００１８】
上記タッチ駆動モードである場合、上記複数のデータラインの全体又は一部に上記タッチ駆動信号又は上記タッチ駆動信号に対応する信号を更に印加することができる。
【００１９】
さらに他の側面によれば、本発明は、複数のデータライン及び複数のゲートラインが形成されて複数の画素が定義され、複数の共通電極が形成されたパネル及びタッチ集積回路を含むタッチスクリーンパネル一体型表示装置の駆動方法であって、ディスプレイ駆動タイミング時、上記複数の共通電極に共通電圧を印加するディスプレイ駆動段階と、タッチ駆動タイミング時、上記複数の共通電極の全体又は一部にタッチ駆動信号を印加し、上記複数のゲートラインの全体又は一部に上記タッチ駆動信号又は上記タッチ駆動信号に対応する信号を更に印加するタッチ駆動段階とを含むことを特徴とするタッチスクリーンパネル一体型表示装置の駆動方法を提供する。
【００２０】
上記タッチ駆動段階では、上記複数のデータラインの全体又は一部に上記タッチ駆動信号又は上記タッチ駆動信号に対応する信号を更に印加することができる。
【発明の効果】
【００２１】
上記説明したように本発明によれば、タッチ駆動の負荷を大きくしてタッチセンシングの正確度を低下したりタッチセンシング自体を不可能にする虞のある寄生キャパシタンスの形成を防止するタッチスクリーンパネル一体型表示装置及びその駆動方法を提供することができる。
【００２２】
また、本発明によれば、従来は寄生キャパシタンスによって具現化できなかった中大型以上のタッチスクリーンパネル一体型表示装置を提供することができる。
【図面の簡単な説明】
【００２３】
【図１】本発明の一実施形態によるタッチスクリーンパネル一体型表示装置を示す概略図である。
【図２】本発明の一実施形態によるタッチスクリーンパネル一体型表示装置で発生するキャパシタンス成分を示す図である。
【図３】本発明の一実施形態によるタッチスクリーンパネル一体型表示装置に含まれるパネルを示す平面図である。
【図４】本発明の一実施形態によるタッチスクリーンパネル一体型表示装置に含まれるパネルを示す断面図である。
【図５】本発明の一実施形態によるタッチスクリーンパネル一体型表示装置に含まれるパネルを示す他の平面図である。
【図６】本発明の一実施形態によるタッチスクリーンパネル一体型表示装置に含まれるパネルの単位タッチ電極領域の等価回路図である。
【図７】本発明の一実施形態によるタッチスクリーンパネル一体型表示装置の駆動方法を説明する図である。
【図８】本発明の一実施形態によるタッチスクリーンパネル一体型表示装置の駆動方法における各種電圧の供給方法を説明するための単位タッチ電極領域の等価回路図である。
【図９】本発明の一実施形態によるタッチスクリーンパネル一体型表示装置において、タッチ電極列（縦方向のタッチ電極群）別にタッチセンシングを行う場合に、タッチ電極にタッチ駆動信号を印加する方法を示す図である。
【図１０】本発明の一実施形態によるタッチスクリーンパネル一体型表示装置において、タッチ電極列（縦方向のタッチ電極群）別にタッチセンシングを行う場合に、タッチ電極にタッチ駆動信号を印加する方法を示す図である。
【図１１】本発明の一実施形態によるタッチスクリーンパネル一体型表示装置において、タッチ電極行（横方向のタッチ電極群）別にタッチセンシングを行う場合に、タッチ電極にタッチ駆動信号を印加する方法を示す図である。
【図１２】本発明の一実施形態によるタッチスクリーンパネル一体型表示装置において、タッチ電極行（横方向のタッチ電極群）別にタッチセンシングを行う場合に、タッチ電極にタッチ駆動信号を印加する方法を示す図である。
【図１３】本発明の一実施形態によるタッチスクリーンパネル一体型表示装置において、タッチ電極列（縦方向のタッチ電極群）別にタッチセンシングを行う場合に、データライン及びゲートラインにタッチ駆動信号を印加する方法を示す図である。
【図１４】本発明の一実施形態によるタッチスクリーンパネル一体型表示装置において、タッチ電極列（縦方向のタッチ電極群）別にタッチセンシングを行う場合に、データライン及びゲートラインにタッチ駆動信号を印加する方法を示す図である。
【図１５】本発明の一実施形態によるタッチスクリーンパネル一体型表示装置において、タッチ電極行（横方向のタッチ電極群）別にタッチセンシングを行う場合に、データライン及びゲートラインにタッチ駆動信号を印加する方法を示す図である。
【図１６】本発明の一実施形態によるタッチスクリーンパネル一体型表示装置において、タッチ電極行（横方向のタッチ電極群）別にタッチセンシングを行う場合に、データライン及びゲートラインにタッチ駆動信号を印加する方法を示す図である。
【図１７】本発明の一実施形態によるタッチスクリーンパネル一体型表示装置において、タッチ電極の役割を果たす複数の電極のそれぞれがくし形を含むパターンである場合の、単位タッチ電極領域を示す平面図である。
【図１８】本発明の一実施形態によるタッチスクリーンパネル一体型表示装置において、タッチ電極の役割を果たす複数の電極のそれぞれがくし形を含むパターンである場合の、単位タッチ電極領域を示す断面図である。
【発明を実施するための形態】
【００２４】
以下、本発明の一実施形態について例示的な図面を参照しつつ詳細に説明する。各図の構成要素に参照符号を付すにあたり、同一の構成要素については、他の図面上に表示する際にも同一の符号を付することがある。また、本発明を説明するにあたり、公知の構成又は機能に対する具体的な説明が本発明の要旨を判りにくくする虞があると判断される場合には、その詳細な説明を省略することがある。
【００２５】
また、本発明の構成要素を説明するにあたって、第１、第２、Ａ、Ｂ、（ａ）、（ｂ）などの用語を使用することがある。このような用語は、その構成要素を他の構成要素と区別するためだけのものであって、その用語によって当該構成要素の本質、手順または順序などが限定されるものではない。ある構成要素が他の構成要素に連結、結合又は接続されると記載された場合、その構成要素は他の構成要素に直接連結、結合又は接続できるほか、これら構成要素の間に他の構成要素が介在したり、これら構成要素が他の構成要素を介して連結、結合又は接続できることも理解すべきである。
【００２６】
図１は、本発明の一実施形態によるタッチスクリーンパネル一体型表示装置１００を示す概略図である。
【００２７】
図１を参照すると、本発明の一実施形態によるタッチスクリーンパネル一体型表示装置１００は、パネル１１０、データ駆動部１２０、ゲート駆動部１３０、タッチ集積回路１４０などを含む。
【００２８】
パネル１１０には、複数のデータラインＤＬが第１方向（例：縦方向又は横方向）に沿って形成され、複数のゲートラインＧＬが第２方向（例：横方向又は縦方向）に沿って形成されており、複数のデータラインＤＬと複数のゲートラインＧＬの交差部のそれぞれに対応して多数の画素（Ｐ：Ｐｉｘｅｌ）が定義される。
【００２９】
このような各画素（Ｐ）の画素領域には、ソース電極又はドレイン電極がデータラインＤＬに連結され、ゲート電極がゲートラインＧＬに連結され、ドレイン電極又はソース電極が画素電極に連結されたトランジスター（Ｔｒａｎｓｉｓｔｏｒ）が形成されている。
【００３０】
また、パネル１１０には、複数の電極群にグループ化された複数の電極Ｓ１１〜Ｓ１４，Ｓ２１〜Ｓ２４，Ｓ３１〜Ｓ３４が互いに離隔して更に形成されている。
【００３１】
このようなパネル１１０は、ディスプレイパネル（Ｄｉｓｐｌａｙ  Ｐａｎｅｌ）の役割を果たしつつ、タッチスクリーンパネル（ＴＳＰ：Ｔｏｕｃｈ Ｓｃｒｅｅｎ  Ｐａｎｅｌ）の役割をも果たす。
【００３２】
つまり、パネル１１０は、ディスプレイパネルとタッチスクリーンパネルとを一つに組み合わせたパネルであってもよいし、タッチスクリーンパネル（ＴＳＰ：Ｔｏｕｃｈ  Ｓｃｒｅｅｎ  Ｐａｎｅｌ）がインセル型（Ｉｎ−Ｃｅｌｌ）で内蔵されたディスプレイパネルであってもよい。
【００３３】
このようなパネル１１０がディスプレイパネルの役割を果たす場合、パネル１１０の駆動モードをディスプレイ駆動モードと呼び、パネル１１０がタッチスクリーンパネルの役割を果たす場合、パネル１１０の駆動モードをタッチ駆動モードと呼ぶ。
【００３４】
データ駆動部１２０は、パネル１１０の駆動モードがディスプレイ駆動モードである場合、複数のデータラインＤＬにディスプレイ用データ電圧（Ｖｄａｔａ）を供給する。
【００３５】
ゲート駆動部１３０は、パネル１１０の駆動モードがディスプレイ駆動モードである場合、複数のゲートラインＧＬにディスプレイ用スキャン信号（Ｓｃａｎ  Ｓｉｇｎａｌ）を順次に供給する。
【００３６】
タッチ集積回路１４０は、パネル１１０の駆動モードがタッチ駆動モードである場合、信号ラインを通じて直接連結された複数の電極Ｓ１１〜Ｓ１４，Ｓ２１〜Ｓ２４，Ｓ３１〜Ｓ３４の全体又は一部にタッチ駆動信号（Ｔｏｕｃｈ  Ｄｒｉｖｉｎｇ  Ｓｉｇｎａｌ）を印加する。ここで、タッチ駆動信号は、タッチセンシング信号、タッチセンシング電圧又はタッチ駆動電圧（Ｖｔｄ：Ｔｏｕｃｈ  Ｄｒｉｖｉｎｇ  Ｖｏｌｔａｇｅ）である。
【００３７】
例えば、タッチ集積回路１４０は、パネル１１０の駆動モードがタッチ駆動モードである場合、複数の電極Ｓ１１〜Ｓ１４，Ｓ２１〜Ｓ２４，Ｓ３１〜Ｓ３４がグループ化された複数の電極群の全体又は一部にタッチ駆動信号を印加する。
【００３８】
一方、本発明の一実施形態によるタッチスクリーンパネル一体型表示装置１００は、データ駆動部１２０及びゲート駆動部１３０の駆動タイミングを制御するタイミングコントローラ（Ｔｉｍｉｎｇ Ｃｏｎｔｒｏｌｌｅｒ、図示せず）を更に含むことができる。
【００３９】
また、本発明の一実施形態によるタッチスクリーンパネル一体型表示装置１００は、タッチ電極の役割を果たす複数の電極Ｓ１１〜Ｓ１４，Ｓ２１〜Ｓ２４，Ｓ３１〜Ｓ３４を介してタッチ集積回路１４０が測定したセンシングデータ（例：キャパシタンス、キャパシタンスの変化量、電圧など）を受け取ってタッチの有無及びタッチ座標などを検出するタッチコントローラ（図示せず）などを更に含むことができる。
【００４０】
一方、本発明の一実施形態によるタッチスクリーンパネル一体型表示装置１００のパネル１１０は、ディスプレイ駆動モード及びタッチ駆動モードを繰り返しながら駆動され、このようなディスプレイ駆動モード及びタッチ駆動モードのタイミングは、タイミングコントローラ又はタッチコントローラなどから出力された制御信号によって制御が可能であり、場合によっては、タイミングコントローラとタッチコントローラとの連動によって制御することができる。
【００４１】
一方、本発明の一実施形態によるタッチスクリーンパネル一体型表示装置１００は、タッチ方式として、タッチスクリーンパネルに形成された複数のタッチ電極（例：横方向の電極、縦方向の電極）を介して測定されたキャパシタンス（静電容量）の変化を基にタッチの有無及びタッチ座標などを検出するキャパシタンスタッチ方式を採用している。
【００４２】
このようなキャパシタンスタッチ方式は、一例として、相互キャパシタンス（Ｍｕｔｕａｌ  Ｃａｐａｃｉｔａｎｃｅ）のタッチ方式と自己キャパシタンス（Ｓｅｌｆ  Ｃａｐａｃｉｔａｎｃｅ）のタッチ方式などに分類される。
【００４３】
キャパシタンスタッチ方式の一種である相互キャパシタンスタッチ方式は、横方向の電極及び縦方向の電極のいずれか一方向の電極が、駆動電圧が印加されるＴｘ電極（駆動電極とも呼ぶ）となり、他の一方向の電極が駆動電圧をセンシングしてＴｘ電極とキャパシタンスを形成するＲｘ電極（センシング電極とも呼ぶ）となり、指、ペンなどのポインターの有無によるＴｘ電極とＲｘ電極との間のキャパシタンス（相互キャパシタンス）の変化を基にタッチの有無及びタッチ座標などを検出するタッチ方式である。
【００４４】
キャパシタンスタッチ方式の他の一種である自己キャパシタンスタッチ方式は、各タッチ電極が指、ペンなどのポインターとキャパシタンス（自己キャパシタンス）を形成し、指、ペンなどのポインターの有無による各タッチ電極とポインターとの間のキャパシタンス値を測定し、これを基にタッチの有無及びタッチ座標などを検出する方式である。このような自己キャパシタンスタッチ方式は、相互キャパシタンスタッチ方式とは異なり、各タッチ電極を通じて駆動電圧（タッチ駆動信号）が印加されると同時にセンシングされる。従って、自己キャパシタンスタッチ方式では、Ｔｘ電極とＲｘ電極との区別がない。
【００４５】
本発明の一実施形態によるタッチスクリーンパネル一体型表示装置１００は、前述した２つのキャパシタンスタッチ方式（相互キャパシタンスタッチ方式と自己キャパシタンスタッチ方式）のいずれか一つを採用することができる。但し、本明細書においては、説明の便宜のために自己キャパシタンスタッチ方式が採用されたものと仮定して実施形態を説明する。
【００４６】
前述したデータ駆動部１２０は、少なくとも一つのデータ駆動集積回路（Ｄａｔａ  Ｄｒｉｖｅｒ  ＩＣ、ソース駆動集積回路とも呼ぶ）を含むことができ、このような少なくとも一つのデータ駆動集積回路は、テープ自動ボンディング（ＴＡＢ：Ｔａｐｅ  Ａｕｔｏｍａｔｅｄ  Ｂｏｎｄｉｎｇ）方式又はチップオングラス（ＣＯＧ：Ｃｈｉｐ Ｏｎ Ｇｌａｓｓ）方式により、パネル１１０のボンディングパッド（Ｂｏｎｄｉｎｇ  Ｐａｄ）に連結されてもよいし、パネル１１０に直接形成されてもよいし、場合によっては、パネル１１０に集積化して形成されてもよい。
【００４７】
前述したゲート駆動部１３０は、駆動方式に従って、図１のようにパネル１１０の一側のみに配置してもよいし、２つに分けてパネル１１０の両側に配置してもよい。
【００４８】
また、ゲート駆動部１３０は、少なくとも一つのゲート駆動集積回路（Ｇａｔｅ  Ｄｒｉｖｅｒ  ＩＣ）を含むことができ、このような少なくとも一つのゲート駆動集積回路は、テープ自動ボンディング（ＴＡＢ）方式またはチップオングラス（ＣＯＧ）方式により、パネル１１０のボンディングパッドに連結されてもよいし、ゲートインパネル（ＧＩＰ：Ｇａｔｅ  Ｉｎ  Ｐａｎｅｌ）型で具現化してパネル１１０に直接形成されてもよいし、場合によっては、パネル１１０に集積化して形成されてもよい。
【００４９】
前述したタッチ集積回路１４０は、図１に示すように、データ駆動部１２０及びゲート駆動部１３０とは別途の構成として、データ駆動部１２０及びゲート駆動部１３０の外部にあってもよいが、具現化方式に従ってデータ駆動部１２０及びゲート駆動部１３０などの少なくとも一つを含むこともできる他の別途のドライバＩＣ（例：ディスプレイドライバＩＣ）の内部構成として具現化されてもよいし、データ駆動部１２０又はゲート駆動部１３０の内部構成として具現化されてもよい。
【００５０】
従って、タッチ駆動モードにおいて、タッチ集積回路１４０がタッチ電極の役割を果たす複数の電極の全体又は一部にタッチ駆動信号を印加することは、タッチ集積回路１４０を含む別途のドライバＩＣがタッチ電極の役割を果たす複数の電極の全体又は一部にタッチ駆動信号を印加することも考えられ、設計方式によってはタッチ集積回路１４０を含むデータ駆動部１２０又はゲート駆動部１３０がタッチ電極の役割を果たす複数の電極の全体又は一部にタッチ駆動信号を印加することも考えられる。
【００５１】
このようなタッチ集積回路１４０の具現化及び設計方式に制限されず、本明細書に記載されるその遂行機能のみが同一又は類似すれば、異なるいずれの構成そのものであったり、内部または外部の構成であってもよい。
【００５２】
また、タッチ集積回路１４０は図１において１回路で示されているが、２以上の回路で具現化されてもよい。
【００５３】
一方、タッチ集積回路１４０がタッチ駆動信号を複数の電極Ｓ１１〜Ｓ１４，Ｓ２１〜Ｓ２４，Ｓ３１〜Ｓ３４の全体又は一部にタッチ駆動信号を印加するために、複数の電極Ｓ１１〜Ｓ１４，Ｓ２１〜Ｓ２４，Ｓ３１〜Ｓ３４のそれぞれに連結される別途の信号ライン構成が必要である。
【００５４】
複数の電極Ｓ１１〜Ｓ１４，Ｓ２１〜Ｓ２４，Ｓ３１〜Ｓ３４のそれぞれに連結されタッチ駆動信号又は共通電圧を伝達する少なくとも一つの信号ラインは、第１方向（縦方向）又は第２方向（横方向）に沿ってパネル１１０に形成することができる。
【００５５】
複数の電極Ｓ１１〜Ｓ１４，Ｓ２１〜Ｓ２４，Ｓ３１〜Ｓ３４のそれぞれに連結される少なくとも一つの信号ラインは、開口率の減少を防止するために、一例として、パネル１１０の第１基板（上部基板、カラーフィルター基板）に形成されたブラックマトリックス（Ｂｌａｃｋ  Ｍａｔｒｉｘ）の領域に対向するパネル１１０の第２基板（下部基板、ＴＦＴアレイ基板）の領域に形成することができる。
【００５６】
複数の電極Ｓ１１〜Ｓ１４，Ｓ２１〜Ｓ２４，Ｓ３１〜Ｓ３４のそれぞれに連結される信号ラインを２つ以上にする場合、抵抗を減らすことができる効果がある。
【００５７】
一方、複数の電極Ｓ１１〜Ｓ１４，Ｓ２１〜Ｓ２４，Ｓ３１〜Ｓ３４のそれぞれに連結される少なくとも一つの信号ラインが形成される方向は、複数の電極Ｓ１１〜Ｓ１４，Ｓ２１〜Ｓ２４，Ｓ３１〜Ｓ３４を、データラインが形成される第１方向（縦方向）に沿ってグループ化してセンシングするか、それともゲートラインが形成される第２方向（横方向）に沿ってグループ化してセンシングするかによって、異なる可能性もある。
【００５８】
尚、図３を参照すると、複数の電極Ｓ１１〜Ｓ１４，Ｓ２１〜Ｓ２４，Ｓ３１〜Ｓ３４をデータラインが形成される第１方向（縦方向）に沿ってグループ化してセンシングする場合、複数の電極Ｓ１１〜Ｓ１４，Ｓ２１〜Ｓ２４，Ｓ３１〜Ｓ３４のそれぞれに連結される少なくとも一つの信号ラインは、データラインが形成される第１方向（縦方向）に沿って形成することができる。
【００５９】
複数の電極Ｓ１１〜Ｓ１４，Ｓ２１〜Ｓ２４，Ｓ３１〜Ｓ３４をゲートラインが形成される第２方向（横方向）に沿ってグループ化してセンシングする場合、複数の電極Ｓ１１〜Ｓ１４，Ｓ２１〜Ｓ２４，Ｓ３１〜Ｓ３４のそれぞれに連結される少なくとも一つの信号ラインは、データラインが形成される第２方向（横方向）に沿って形成することができる（図５参照）。
【００６０】
本明細書で言及される複数の電極Ｓ１１〜Ｓ１４，Ｓ２１〜Ｓ２４，Ｓ３１〜Ｓ３４は、前述したように駆動モードがタッチ駆動モードである場合、タッチ駆動信号が全体又は一部に印加されるタッチ電極の役割を果たし、駆動モードがディスプレイ駆動モードである場合、パネルに形成された画素電極（Ｐｉｘｅｌ  Ｅｌｅｃｔｒｏｄｅ）及び液晶キャパシタを形成するための共通電圧Ｖｃｏｍが印加される共通電極の役割を果たす。
【００６１】
ここで、ディスプレイ駆動モード時、画素電極と共通電極Ｓ１１〜Ｓ１４，Ｓ２１〜Ｓ２４，Ｓ３１〜Ｓ３４との間に水平電界が形成されるよう、画素電極及び共通電極Ｓ１１〜Ｓ１４，Ｓ２１〜Ｓ２４，Ｓ３１〜Ｓ３４は、同一の基板に形成することができる。
【００６２】
このようなことから、本発明の一実施形態によるタッチスクリーンパネル一体型表示装置１００は、一例として、液晶分子を水平に配列し、これを元の位置に回転しながら画面を表現する方式であって、高解像度、省電力、広視野角などに有利な長所を有するＩＰＳ（Ｉｎ−Ｐｌａｎｅ  Ｓｗｉｔｃｈｉｎｇ）方式の液晶表示装置であってもよい。より具体的には、ＡＨ−ＩＰＳ（Ａｄｖａｎｃｅｄ  Ｈｉｇｈ  Ｐｅｒｆｏｒｍａｎｃｅ−ＩＰＳ）方式の液晶表示装置であってもよい。
【００６３】
図２は、本発明の一実施形態によるタッチスクリーンパネル一体型表示装置１００において、タッチ駆動モード時に発生するキャパシタンス成分（Ｃｓｅｌｆ、Ｃｐａｒａ１、Ｃｐａｒａ２）を示す図である。
【００６４】
図２を参照すると、タッチ駆動モードではタッチ電極の役割を果たし、ディスプレイ駆動モードでは画素電極及び液晶キャパシタを形成する共通電極の役割を果たす複数の電極Ｓ１１〜Ｓ１４，Ｓ２１〜Ｓ２４，Ｓ３１〜Ｓ３４は、タッチ駆動モードでタッチの有無及びタッチ座標などを検出するために、指、ペンなどのポインターとの間にキャパシタンス（Ｃｓｅｌｆ）を形成することもあるが、ディスプレイ用データラインＤＬ及びゲートラインＧＬとの間に不要な寄生キャパシタンス（Ｃｐａｒａ：Ｐａｒａｓｉｔｉｃ  Ｃａｐａｃｉｔａｎｃｅ、Ｃｐａｒａ１、Ｃｐａｒａ２）を形成する虞がある。
【００６５】
このようなタッチ駆動モード時に発生する寄生キャパシタンス（Ｃｐａｒａ）は、タッチ駆動の大きな負荷（Ｌｏａｄ）として作用し、タッチセンシングの正確度を低下したり、タッチセンシング自体を不可能にしたりすることもある。このような寄生キャパシタンス（Ｃｐａｒａ）は、表示装置１００又は表示パネル１１０のサイズが大きくなるほどより大きくなり、タッチセンシングに更に大きな問題を引き起こす虞がある。
【００６６】
このため、本実施形態では、タッチ駆動モードにおいてタッチ電極の役割を果たす複数の電極Ｓ１１〜Ｓ１４，Ｓ２１〜Ｓ２４，Ｓ３１〜Ｓ３４とゲートラインＧＬとの間に不要な寄生キャパシタンス（Ｃｐａｒａ１）が形成されないようにするために、タッチ駆動モードにおいてゲート駆動部１３０は、タッチ電極に用いられる複数の電極Ｓ１１〜Ｓ１４，Ｓ２１〜Ｓ２４，Ｓ３１〜Ｓ３４の全体又は一部に印加されているタッチ駆動信号（タッチセンシング電圧）又は該タッチ駆動信号と位相及び大きさが同一の信号（電圧）をゲートラインＧＬに印加する。
【００６７】
このように、タッチ電極に用いられる複数の電極Ｓ１１〜Ｓ１４，Ｓ２１〜Ｓ２４，Ｓ３１〜Ｓ３４の全体又は一部に印加されるタッチ駆動信号（タッチセンシング電圧）又は該タッチ駆動信号と位相及び大きさが同一の信号（電圧）をゲートラインＧＬに印加すれば、タッチ電極に用いられる電極とゲートラインＧＬとの間に電位差が発生しないため、タッチ電極に用いられる電極とゲートラインＧＬとの間に寄生キャパシタンス（Ｃｐａｒａ１）が形成されない。
【００６８】
また、タッチ駆動モードにおいてタッチ電極の役割を果たす複数の電極Ｓ１１〜Ｓ１４，Ｓ２１〜Ｓ２４，Ｓ３１〜Ｓ３４とデータラインＤＬとの間に不要な寄生キャパシタンス（Ｃｐａｒａ２）が形成されないようにするために、タッチ駆動モードにおいてデータ駆動部１２０は、タッチ電極に用いられる複数の電極Ｓ１１〜Ｓ１４，Ｓ２１〜Ｓ２４，Ｓ３１〜Ｓ３４の全体又は一部に印加されるタッチ駆動信号（タッチセンシング電圧）又は該タッチ駆動信号と位相及び大きさが同一の信号（電圧）をデータラインＤＬにも更に印加するようにしてもよい。
【００６９】
このように、タッチ電極に用いられる複数の電極Ｓ１１〜Ｓ１４，Ｓ２１〜Ｓ２４，Ｓ３１〜Ｓ３４の全体又は一部に印加されるタッチ駆動信号（タッチセンシング電圧）又は該タッチ駆動信号と位相及び大きさが同一の信号（電圧）をデータラインＤＬに印加すれば、タッチ電極に用いられる電極とデータラインＤＬとの間に電位差が発生しないため、タッチ電極に用いられる電極とデータラインＤＬとの間に寄生キャパシタンス（Ｃｐａｒａ２）が形成されない。
【００７０】
前述したように、タッチ駆動モードの場合、タッチ電極の役割を果たす電極（複数の電極）に印加されるタッチ駆動信号又は該タッチ駆動信号に対応する信号が複数のゲートラインＧＬの全体又は一部に印加され、場合によっては、タッチ電極の役割を果たす電極（複数の電極）に印加されるタッチ駆動信号又は該タッチ駆動信号に対応する信号が複数のデータラインＤＬの全体又は一部にも更に印加されるようにすることによって、タッチ電極に用いられる電極がゲートラインＧＬ及びデータラインＤＬと形成する寄生キャパシタンス（Ｃｐａｒａ１、Ｃｐａｒａ２）によるＲＣ負荷（Ｌｏａｄ）を無くしてセンシング感度を向上することができる。また、小型のディスプレイはもちろん、中大型以上のディスプレイでもインセル（Ｉｎ―Ｃｅｌｌ）方式のタッチスクリーンパネルの具現化が可能となる。
【００７１】
以下では、本発明の一実施形態によるタッチスクリーンパネル一体型表示装置１００に含まれるパネル１１０、共通電極及びタッチ電極の両方の役割を果たす複数の電極Ｓ１１〜Ｓ１４，Ｓ２１〜Ｓ２４，Ｓ３１〜Ｓ３４への共通電圧及びタッチ駆動信号の印加方式、データラインＤＬへのデータ電圧及びタッチ駆動信号（若しくは、それに対応する信号）の印加方式、ゲートラインＧＬへのデータ電圧及びタッチ駆動信号（若しくは、それに対応する信号）の印加方式などについて、より詳しく説明する。
【００７２】
まず、本発明の一実施形態によるタッチスクリーンパネル一体型表示装置１００に含まれるパネル１１０について、図３乃至図６を参照してより詳しく説明する。
【００７３】
図３は、本発明の一実施形態によるタッチスクリーンパネル一体型表示装置１００に含まれるパネル１１０を示す平面図である。
【００７４】
図３を参照すると、パネル１１０には、前述したように、複数のデータラインＤＬ、複数のゲートラインＧＬ及び複数の電極Ｓ１１〜Ｓ１４，Ｓ２１〜Ｓ２４，Ｓ３１〜Ｓ３４が形成されている。
【００７５】
また、このようなパネル１１０は、前述したように、ディスプレイ駆動モードで動作することも可能であり、タッチ駆動モードで動作することもできる。
【００７６】
これに関連して、パネル１１０に形成された複数のデータラインＤＬ及び複数のゲートラインＧＬは、パネル１１０がディスプレイパネルの役割を果たすための構成である。
【００７７】
そして、パネル１１０に形成された複数の電極Ｓ１１〜Ｓ１４，Ｓ２１〜Ｓ２４，Ｓ３１〜Ｓ３４は、パネル１１０がディスプレイパネルの役割とタッチスクリーンパネルの役割との両方を果たすための構成である。
【００７８】
より詳しく説明すれば、パネル１１０がディスプレイパネルの役割を果たす場合、つまり、パネル１１０の駆動モードがディスプレイ駆動モードである場合、複数の電極Ｓ１１〜Ｓ１４，Ｓ２１〜Ｓ２４，Ｓ３１〜Ｓ３４には共通電圧（Ｖｃｏｍ：Ｃｏｍｍｏｎ  Ｖｏｌｔａｇｅ）が印加され、画素電極（図示せず）及び液晶キャパシタを形成する共通電極（Ｃｏｍｍｏｎ  Ｅｌｅｃｔｒｏｄｅ、以下、Ｖｃｏｍ電極とも呼ぶ）になる。
【００７９】
そして、パネル１１０がタッチスクリーンパネルの役割を果たす場合、つまり、パネル１１０の駆動モードがタッチ駆動モードである場合、複数の電極Ｓ１１〜Ｓ１４，Ｓ２１〜Ｓ２４，Ｓ３１〜Ｓ３４にはタッチ駆動電圧が印加され、タッチポインター（例：指、ペンなど）との間にキャパシタを形成し、このように形成されたキャパシタのキャパシタンスが測定されるタッチ電極になる。
【００８０】
つまり、複数の電極Ｓ１１〜Ｓ１４，Ｓ２１〜Ｓ２４，Ｓ３１〜Ｓ３４は、ディスプレイ駆動モードでは共通電極（Ｖｃｏｍ電極）の役割を果たし、タッチ駆動モードではタッチ電極の役割を果たすことになる。
【００８１】
このような複数の電極Ｓ１１〜Ｓ１４，Ｓ２１〜Ｓ２４，Ｓ３１〜Ｓ３４では、ディスプレイ駆動モード時は共通電圧Ｖｃｏｍが印加され、タッチ駆動モード時はタッチ駆動信号が印加される。
【００８２】
従って、図３に示すように、複数の電極Ｓ１１〜Ｓ１４，Ｓ２１〜Ｓ２４，Ｓ３１〜Ｓ３４への共通電圧又はタッチ駆動信号の伝達のために、複数の電極Ｓ１１〜Ｓ１４，Ｓ２１〜Ｓ２４，Ｓ３１〜Ｓ３４には信号ラインＳＬ１１〜ＳＬ１４，ＳＬ２１〜ＳＬ２４，ＳＬ３１〜ＳＬ３４を連結することができる。
【００８３】
これによって、タッチ駆動モード時、信号ラインＳＬ１１〜ＳＬ１４，ＳＬ２１〜ＳＬ２４，ＳＬ３１〜ＳＬ３４を通じてタッチ集積回路１４０で生成されたタッチ駆動信号Ｖｔｄが複数の電極Ｓ１１〜Ｓ１４，Ｓ２１〜Ｓ２４，Ｓ３１〜Ｓ３４の全体又は一部に伝達され、ディスプレイ駆動モード時、信号ラインＳＬ１１〜ＳＬ１４，ＳＬ２１〜ＳＬ２４，ＳＬ３１〜ＳＬ３４を通じて共通電圧供給部（図示しない）から供給された共通電圧Ｖｃｏｍが複数の電極Ｓ１１〜Ｓ１４，Ｓ２１〜Ｓ２４，Ｓ３１〜Ｓ３４に印加される。
【００８４】
図３を参照すると、パネル１１０に形成された複数のデータラインＤＬ及び複数のゲートラインＧＬの交差部のそれぞれに対応して一つの画素（Ｐ：Ｐｉｘｅｌ）が定義される。ここで、各画素は、赤色（Ｒ）の画素、緑色（Ｇ）の画素、青色（Ｂ）の画素などのいずれか一つであってもよい。
【００８５】
図３を参照すると、共通電極及びタッチ電極の役割を果たす複数の電極Ｓ１１〜Ｓ１４，Ｓ２１〜Ｓ２４，Ｓ３１〜Ｓ３４のそれぞれが形成される領域（以下では、単位タッチ電極領域とも呼ぶ）には２つ以上の画素（Ｐ）を定義できる。つまり、複数の電極Ｓ１１〜Ｓ１４，Ｓ２１〜Ｓ２４，Ｓ３１〜Ｓ３４のいずれか一つの電極は、２つ以上の画素（Ｐ）に対応する。
【００８６】
例えば、共通電極及びタッチ電極の役割を果たす複数の電極Ｓ１１〜Ｓ１４，Ｓ２１〜Ｓ２４，Ｓ３１〜Ｓ３４のそれぞれが形成された１つの領域（単位タッチ電極の領域）には、２４×３本のデータラインＤＬと２４本のゲートラインＧＬが配置されて２４×３×２４個の画素（Ｐ）を定義できる。
【００８７】
一方、共通電極及びタッチ電極の役割を果たす複数の電極Ｓ１１〜Ｓ１４，Ｓ２１〜Ｓ２４，Ｓ３１〜Ｓ３４のそれぞれは、図３に示すように、ブロック形のパターンであってもよいし、場合によっては、くし形の部分を含むパターンであってもよい。
【００８８】
共通電極及びタッチ電極の役割を果たす複数の電極Ｓ１１〜Ｓ１４，Ｓ２１〜Ｓ２４，Ｓ３１〜Ｓ３４のそれぞれがくし形の部分を含むパターンである場合の例は、図１７に示した平面図及び図１８に示した断面図を通じて確認することができる。
【００８９】
本明細書で言及されるタッチ電極及び共通電極の両方の役割を果たす複数の電極は、複数の図面において、３行４列のマトリックス型で配置されて１２個であるものと示されているが、これは説明の便宜のための例示だけであって、タッチスクリーンパネル一体型表示装置１００及びパネル１１０の大きさ、タッチシステム設計基準などを考慮して、タッチ電極及び共通電極の両方の役割を果たす複数の電極を様々なマトリックス型と多様な個数で形成することができる。
【００９０】
図４は、本発明の一実施形態によるタッチスクリーンパネル一体型表示装置１００に含まれるパネル１１０の断面図を例示的に示す図である。
【００９１】
図４は、共通電極及びタッチ電極の役割を果たす複数の電極Ｓ１１〜Ｓ１４，Ｓ２１〜Ｓ２４，Ｓ３１〜Ｓ３４のいずれか一つの電極が形成された領域（単位タッチ電極の領域）を示した断面図である。
【００９２】
図４を参照すると、本発明の一実施形態によるタッチスクリーンパネル一体型表示装置１００に含まれるパネル１１０には、一例として、下部基板４００の上にゲートライン４０２が第２方向（横方向、図４で左右方向）に沿って形成され、その上にゲート絶縁層４０４が形成される。
【００９３】
ゲート絶縁層４０４の上にデータライン４０６が第１方向（縦方向、図４で紙面に対する垂直方向）に形成され、その上に第１保護層（Ｐａｓｓｉｖａｔｉｏｎ Ｌａｙｅｒ）４０８が形成される。
【００９４】
第１保護層４０８の上に各画素領域の画素電極４１０と信号ライン４１２が形成され、その上に第２保護層４１４が形成される。ここで、信号ライン４１２は共通電極及びタッチ電極の役割を果たす複数の電極Ｓ１１〜Ｓ１４，Ｓ２１〜Ｓ２４，Ｓ３１〜Ｓ３４の各々からタッチ集積回路１４０まで連結され、ディスプレイ駆動モードでは共通電圧供給部で生成された共通電圧（Ｖｃｏｍ）を複数の電極Ｓ１１〜Ｓ１４，Ｓ２１〜Ｓ２４，Ｓ３１〜Ｓ３４に伝達し、タッチ駆動モードではタッチ集積回路１４０で生成されたタッチ駆動信号を複数の電極Ｓ１１〜Ｓ１４，Ｓ２１〜Ｓ２４，Ｓ３１〜Ｓ３４に伝達する。
【００９５】
第２保護層４１４の上に、共通電極及びタッチ電極の役割を果たす一つの電極４１６が形成され、その上に液晶層４１８が形成される。ここで、共通電極及びタッチ電極の役割を果たす一つの電極４１６は、複数の電極Ｓ１１〜Ｓ１４，Ｓ２１〜Ｓ２４，Ｓ３１〜Ｓ３４のいずれか一つとして、ブロック形を有するパターンであってもよい。
【００９６】
液晶層４１８の上に、ブラックマトリックス（Ｂｌａｃｋ  Ｍａｔｒｉｘ）、カラーフィルター（Ｃｏｌｏｒ  Ｆｉｌｔｅｒ）などが形成された上部基板４２０が配置される。
【００９７】
図５は、本発明の一実施形態によるタッチスクリーンパネル一体型表示装置１００に含まれるパネル１１０を示す他の平面図である。
【００９８】
図５を参照すると、図３とは異なり、複数の電極Ｓ１１〜Ｓ１４，Ｓ２１〜Ｓ２４，Ｓ３１〜Ｓ３４のそれぞれに連結されタッチ駆動信号又は共通電圧を伝達する信号ラインＳＬ１１〜ＳＬ１４，ＳＬ２１〜ＳＬ２４，ＳＬ３１〜ＳＬ３４は、ゲートラインＧＬが形成される第２方向（横方向）に沿って平行に形成されてもよい。
【００９９】
このような場合、タッチ集積回路１４０で生成されたタッチ駆動信号又は共通電圧給電部で生成若しくは供給された共通電圧は、ゲートラインに平行に形成された信号ラインＳＬ１１〜ＳＬ１４，ＳＬ２１〜ＳＬ２４，ＳＬ３１〜ＳＬ３４を通じて複数の電極Ｓ１１〜Ｓ１４，Ｓ２１〜Ｓ２４，Ｓ３１〜Ｓ３４の全体又は一部に伝達できるようになる。
【０１００】
図６は、本発明の一実施形態によるタッチスクリーンパネル一体型表示装置１００に含まれるパネル１１０の単位タッチ電極領域６００における等価回路図である。
【０１０１】
図６を参照すると、本発明の一実施形態によるタッチスクリーンパネル一体型表示装置１００に含まれるパネル１１０において、単位タッチ電極領域６００には複数の画素が配置されている。
【０１０２】
図６を参照すると、単位タッチ電極領域６００には、ｉ個のデータラインＤＬ１〜ＤＬｉ及びｊ個のゲートラインＧＬ１〜ＧＬｊが形成され、ｉ×ｊの単位画素（Ｕｎｉｔ  Ｐｅｘｅｌ；Ｓｕｂ−Ｐｉｘｅｌ）が定義される。
【０１０３】
図６を参照すると、各画素領域（単位画素領域）には、ソース電極（又はドレイン電極）がデータラインＤＬ１〜ＤＬｉのいずれか一つに連結され、ゲート電極がゲートラインＧＬ１〜ＧＬｊのいずれか一つに連結され、ドレイン電極（又はソース電極）が画素電極６２１に連結されたトランジスター６１０が配置される。
【０１０４】
図６を参照すると、各画素の領域に配置されたトランジスター６１０のドレイン電極（又はソース電極）に連結された画素電極６２１は、他の電極６２２ともに液晶キャパシタ６２０を形成する。
【０１０５】
上記で言及した各画素の領域における他の電極６２２は、複数の電極Ｓ１１〜Ｓ１４，Ｓ２１〜Ｓ２４，Ｓ３１〜Ｓ３４のいずれか一つとして、共通電圧Ｖｃｏｍが印加される共通電極である。
【０１０６】
以下では、本発明の一実施形態によるタッチスクリーンパネル一体型表示装置１００の駆動方法を図７及び図８を参照して説明し、共通電極及びタッチ電極の両方の役割を果たす複数の電極Ｓ１１〜Ｓ１４，Ｓ２１〜Ｓ２４，Ｓ３１〜Ｓ３４への共通電圧及びタッチ駆動信号の印加方式、データラインＤＬへのデータ電圧及びタッチ駆動信号（又はこれに対応する信号）の印加方式、ゲートラインＧＬへのデータ電圧及びタッチ駆動信号（又はこれに対応する信号）の印加方式などについて、図９乃至図１６を参照してより詳しく説明する。
【０１０７】
図７は、本発明の一実施形態によるタッチスクリーンパネル一体型表示装置１００の駆動方法を説明するための図である。
【０１０８】
図７を参照すると、本発明の一実施形態によるタッチスクリーンパネル一体型表示装置１００は、ディスプレイ駆動モード（Ｄｉｓｐｌａｙ  Ｄｒｉｖｉｎｇ  Ｍｏｄｅ）とタッチ駆動モード（Ｔｏｕｃｈ  Ｄｒｉｖｉｎｇ  Ｍｏｄｅ）とを交互に動作することができる。場合によっては、特定時間の間はディスプレイ駆動モード及びタッチ駆動モードのいずれか一方のみで動作することも可能である。
【０１０９】
図７を参照すると、ディスプレイ駆動モードの動作時間Ｔｄとタッチ駆動モードの動作時間Ｔｔとは同一に設定されてもよいし、一方が他方より長く設定されてもよい。場合によっては、ディスプレイ駆動モードの動作時間Ｔｄとタッチ駆動モードの動作時間Ｔｔとがタッチスクリーンパネル一体型表示装置１００の現状況に合わせて適応的（Ａｄａｐｔｉｖｅ）に変更して設定されてもよい。
【０１１０】
図７を参照すると、本発明の一実施形態によるタッチスクリーンパネル一体型表示装置１００の駆動方法は、基本的に、ディスプレイ駆動タイミング時、複数の共通電極（Ｖｃｏｍ電極）Ｓ１１〜Ｓ１４，Ｓ２１〜Ｓ２４，Ｓ３１〜Ｓ３４に共通電圧Ｖｃｏｍを印加し、複数のデータラインＤＬのそれぞれに当該データ電圧Ｖｄａｔａを供給し、且つ複数のゲートラインＧＬのそれぞれに当該スキャン信号（ＶＧＬまたはＶＧＨ）を順次に供給するディスプレイ駆動段階（Ｄｉｐｌａｙ  Ｄｒｉｖｉｎｇ  Ｓｔｅｐ）、タッチ駆動タイミング時、複数の共通電極Ｓ１１〜Ｓ１４，Ｓ２１〜Ｓ２４，Ｓ３１〜Ｓ３４の全体又は一部にタッチ駆動信号（Ｖｔｄ：Ｔｏｕｃｈ  Ｄｒｉｖｉｎｇ  Ｖｏｌｔａｇｅ）を印加し、且つ複数のゲートラインＧＬの全体又は一部にタッチ駆動信号Ｖｔｄ又はこのタッチ駆動信号Ｖｔｄに対応する信号（Ｖｔｄ、位相及び同じ大きさの電圧）を更に印加するタッチ駆動段階（Ｔｏｕｃｈ  Ｄｒｉｖｉｎｇ  Ｓｔｅｐ）などを含む。
【０１１１】
タッチ駆動段階では、複数のデータラインの全体又は一部にタッチ駆動信号Ｖｔｄ又はタッチ駆動信号Ｖｔｄに対応する信号（Ｖｔｄ、位相及び同じ大きさの電圧）を更に印加することも可能である。
【０１１２】
図８は、本発明の一実施形態によるタッチスクリーンパネル一体型表示装置１００の駆動方法であって、各種電圧（共通電圧（Ｖｃｏｍ）、データ電圧Ｖｄａｔａ、スキャン信号ＶＧＨ、ＶＧＬ、タッチ駆動信号Ｖｔｄの供給方法を説明するための単位タッチ電極領域６００における等価回路図である。
【０１１３】
図８を参照すると、複数の電極Ｓ１１〜Ｓ１４，Ｓ２１〜Ｓ２４，Ｓ３１〜Ｓ３４のいずれか一つの形成領域に該当する一つの単位タッチ電極領域６００には、ｉ個のデータラインＤＬ１〜ＤＬｉとｊ個のゲートラインＧＬ１〜ＧＬｊとが通る。
【０１１４】
従って、図８を参照すると、複数の電極Ｓ１１〜Ｓ１４，Ｓ２１〜Ｓ２４，Ｓ３１〜Ｓ３４のいずれか一つの形成領域に該当する一つの単位タッチ電極領域６００には、ｉ×ｊ個の画素（Ｐ）が定義される。
【０１１５】
また、図８を参照すると、各画素（Ｐ）の画素領域ごとに一つのトランジスター６１０が配置され、ディスプレイ駆動モード時、一つの液晶キャパシタ６２０が形成される。
【０１１６】
まず、駆動モードがディスプレイ駆動モードである場合における、各種信号（データ電圧、スキャン信号、共通電圧）の印加（供給）について説明する。
【０１１７】
図８を参照すると、駆動モードがディスプレイ駆動モードである場合、データ駆動部１２０は、ｉ個のデータラインマルチプレクサＭＵＸｄ１〜ＭＵＸｄｉを通じてｉ個のデータラインＤＬ１〜ＤＬｉに当該データ電圧（Ｖｄａｔａ；画素電圧とも呼ぶ）を供給する。
【０１１８】
図８を参照すると、駆動モードがディスプレイ駆動モードである場合、ゲート駆動部１３０は、ｊ個のゲートラインマルチプレクサＭＵＸｇ１〜ＭＵＸｇｊを通じて、ｊ個のゲートラインＧＬ１〜ＧＬｊのいずれか一つのゲートラインにターンオン電圧レベルのスキャン信号（例：ＶＧＨ）を供給し、残りのゲートラインにはターンオフ電圧レベルのスキャン信号（例：ＶＧＬ）を供給してｊ個のゲートラインＧＬ１〜ＧＬｊを順次に駆動させる。
【０１１９】
図８を参照すると、駆動モードがディスプレイ駆動モードである場合、共通電圧供給部は、一例として、データ駆動部１２０の共通電極（又はタッチ電極）マルチプレクサＭＵＸｓを通じて当該単位タッチ電極領域６００に該当する電極Ｓ１１を含む複数の電極Ｓ１１〜Ｓ１４，Ｓ２１〜Ｓ２４，Ｓ３１〜Ｓ３４の全てに共通電圧Ｖｃｏｍを供給する。
【０１２０】
次に、駆動モードがタッチ駆動モードである場合における、各種信号（タッチ駆動信号）の印加（供給）について説明する。
【０１２１】
図８を参照すると、駆動モードがタッチ駆動モードである場合、タッチ集積回路１４０は、一例として、データ駆動部１２０のタッチ電極（又は共通電極）マルチプレクサＭＵＸｓを通じて、必要な場合、当該単位タッチ電極領域６００に該当する電極Ｓ１１にタッチ駆動信号Ｖｔｄを供給する。
【０１２２】
また、図８を参照すると、駆動モードがタッチ駆動モードである場合、ゲート駆動部１３０は、ｊ個のゲートラインマルチプレクサＭＵＸｇ１〜ＭＵＸｇｊを通じて、必要な場合、タッチ電極の役割を果たす電極Ｓ１１に印加されるタッチ駆動信号Ｖｔｄ又はこれと同一位相及び同一電圧の波形信号をｊ個のゲートラインＧＬ１〜ＧＬｊに供給する。
【０１２３】
尚、ｊ個のゲートラインＧＬ１〜ＧＬｊには当該画素のターンオフ（Ｔｕｒｎ−Ｏｆｆ）状態が維持されるようにキャパシタを介してタッチ駆動信号Ｖｔｄ又はこれと同一の位相及び同一電圧の波形信号が印加される。
【０１２４】
また、図８を参照すると、駆動モードがタッチ駆動モードである場合、データ駆動部１２０は、ｉ個のデータラインマルチプレクサＭＵＸｄ１〜ＭＵＸｄｉを通じて、必要な場合、タッチ電極の役割を果たす電極Ｓ１１に印加されるタッチ駆動信号Ｖｔｄ又はこれと同一の位相と同一電圧の波形信号をｉ個のデータラインＤＬ１〜ＤＬｉに供給する。
【０１２５】
一方、図８に示したｊ個のゲートラインマルチプレクサＭＵＸｇ１〜ＭＵＸｇｊは、一つのゲートラインマルチプレクサで具現化されてもよい。
【０１２６】
この場合、一つのゲートラインマルチプレクサは、ターンオン電圧レベルのスキャン信号ＶＧＨ、ターンオフ電圧レベルのスキャン信号ＶＧＬ、特定電圧（例：ＶＧＬ）に電圧変化量（例：ΔＶ/２）を足した電圧（例：ＶＧＬ＋ΔＶ/２）、特定電圧（例：ＶＧＬ）から電圧変化量（例：ΔＶ/２）を引いた電圧（例：ＶＧＬ−ΔＶ/２）の入力を受ける。
【０１２７】
これによって、一つのゲートラインマルチプレクサは、ディスプレイ駆動モード時、ターンオン電圧レベルのスキャン信号ＶＧＨとターンオフ電圧レベルのスキャン信号ＶＧＬの中から選択された一つをｊ個のゲートラインＧＬ１〜ＧＬｊに選択的に出力する。
【０１２８】
そして、一つのゲートラインマルチプレクサは、タッチ駆動モード時、特定電圧（例：ＶＧＬ）に電圧変化量（例：ΔＶ/２)を足した電圧（例：ＶＧＬ＋ΔＶ/２）と、特定電圧（例：ＶＧＬ）から電圧変化量（例：ΔＶ/２）を引いた電圧（例：ＶＧＬ−ΔＶ/２）で表すことができるタッチ駆動信号Ｖｔｄをｊ個のゲートラインＧＬ１〜ＧＬｊの全体又は一部に出力することが可能である。
【０１２９】
以下では、図９乃至図１２を参照して、駆動モードがタッチ駆動モードである場合、タッチ電極の役割を果たす複数の電極Ｓ１１〜Ｓ１４，Ｓ２１〜Ｓ２４，Ｓ３１〜Ｓ３４にタッチ駆動信号Ｖｔｄを印加する方法について説明する。
【０１３０】
但し、図９及び図１０はタッチ電極の役割を果たす複数の電極Ｓ１１〜Ｓ１４，Ｓ２１〜Ｓ２４，Ｓ３１〜Ｓ３４が縦方向に沿ってグループ化されて縦方向タッチセンシングが行われる場合を示した図であり、図１１及び図１２はタッチ電極の役割を果たす複数の電極Ｓ１１〜Ｓ１４，Ｓ２１〜Ｓ２４，Ｓ３１〜Ｓ３４が横方向に沿ってグループ化されて横方向タッチセンシングが行われる場合を示した図である。
【０１３１】
図を参照して説明する前に、駆動モードがタッチ駆動モードである場合、タッチ電極の役割を果たす複数の電極Ｓ１１〜Ｓ１４，Ｓ２１〜Ｓ２４，Ｓ３１〜Ｓ３４にタッチ駆動信号Ｖｔｄを印加する方法について簡単に説明する。
【０１３２】
駆動モードがタッチ駆動モードである場合、タッチ集積回路１４０はタッチ電極の役割を果たす複数の電極Ｓ１１〜Ｓ１４，Ｓ２１〜Ｓ２４，Ｓ３１〜Ｓ３４の全てにタッチ駆動信号を同時に印加したり、複数の電極Ｓ１１〜Ｓ１４，Ｓ２１〜Ｓ２４，Ｓ３１〜Ｓ３４の一部にタッチ駆動信号を印加することができる。
【０１３３】
タッチ集積回路１４０が複数の電極Ｓ１１〜Ｓ１４，Ｓ２１〜Ｓ２４，Ｓ３１〜Ｓ３４の一部にタッチ駆動信号を印加する場合、タッチ集積回路１４０は複数の電極Ｓ１１〜Ｓ１４，Ｓ２１〜Ｓ２４，Ｓ３１〜Ｓ３４がグループ化された複数の電極群のいずれか一つの電極群をタッチセンシング電極群とし、順次に選択してタッチセンシング電極群にタッチ駆動信号を印加する。
【０１３４】
尚、タッチ集積回路１４０は、タッチセンシングの正確度を向上するために、タッチセンシング電極群に隣り合う少なくとも一つの電極群にタッチ駆動信号を更に印加することができる。
【０１３５】
図９及び図１０は、本発明の一実施例によるタッチスクリーンパネル一体型表示装置１００において、タッチ電極の列（縦方向のタッチ電極群；Ｇｃ１、Ｇｃ２、Ｇｃ３、Ｇｃ４）別にタッチセンシングを行う場合に、タッチ電極Ｓ１１〜Ｓ１４、Ｓ２１〜Ｓ２４、Ｓ３１〜Ｓ３４にタッチ駆動信号を印加する方法を示した図である。
【０１３６】
図９及び図１０では、縦方向の４つのタッチ電極群Ｇｃ１〜Ｇｃ４のうち、タッチセンシングが行われるタッチセンシング電極群（同一の列ライン（Ｃｏｌｕｍｎ  Ｌｉｎｅ）の電極の集合体）がＳ１２，Ｓ２２，Ｓ３２を含むＧｃ２であることを例に挙げる。
【０１３７】
図９を参照すると、複数の電極Ｓ１１〜Ｓ１４，Ｓ２１〜Ｓ２４，Ｓ３１〜Ｓ３４でタッチ駆動信号Ｖｔｄが信号ラインＳＬ１１，ＳＬ２１，ＳＬ３１，ＳＬ１２，ＳＬ２２，ＳＬ３２，ＳＬ１３，ＳＬ２３，ＳＬ３３，ＳＬ１４，ＳＬ２４，ＳＬ３４を通じて全て印加することができる。つまり、縦方向の４つのタッチ電極群Ｇｃ１〜Ｇｃ４の全てにタッチ駆動信号Ｖｔｄを印加することができる。
【０１３８】
また、他の印加方式では、図１０に示すように、タッチ駆動信号を、複数の電極Ｓ１１〜Ｓ１４，Ｓ２１〜Ｓ２４，Ｓ３１〜Ｓ３４の一部のみに印加することができる。
【０１３９】
より詳しくは、図１０を参照すると、タッチ駆動信号は、タッチセンシング電極群Ｇｃ２に含まれるＳ１２，Ｓ２２，Ｓ３２に当該信号ラインＳＬ１２，ＳＬ２２，ＳＬ３２を通じて印加される。
【０１４０】
尚、タッチ駆動信号は、タッチセンシング電極群Ｇｃ２を除いた残りの電極群Ｇｃ１，Ｇｃ３，Ｇｃ４に含まれる電極Ｓ１１，Ｓ２１，Ｓ３１，Ｓ１３，Ｓ２３，Ｓ３３，Ｓ１４，Ｓ２４，Ｓ３４には印加されなくてもよい。
【０１４１】
一方、図１０を参照すると、タッチセンシングの効率のために、タッチ駆動信号は、タッチセンシング電極群Ｇｃ２に含まれるＳ１２，Ｓ２２，Ｓ３２に印加されると同時に、タッチセンシング電極群Ｇｃ２に隣り合う電極群Ｇｃ１，Ｇｃ３に含まれる電極Ｓ１１，Ｓ２１，Ｓ３１，Ｓ１３，Ｓ２３，Ｓ３３にも印加されてもよい。
【０１４２】
尚、タッチ駆動信号は、タッチセンシング電極群Ｇｃ２に隣り合わない電極群Ｇｃ４に含まれる電極Ｓ１４，Ｓ２４，Ｓ３４には印加されない。
【０１４３】
図１１及び図１２は、本発明の一実施形態によるタッチスクリーンパネル一体型表示装置１００において、タッチ電極行（横方向のタッチ電極群）Ｇｒ１，Ｇｒ２，Ｇｒ３別にタッチセンシングを行う場合に、タッチ電極Ｓ１１〜Ｓ１４，Ｓ２１〜Ｓ２４，Ｓ３１〜Ｓ３４にタッチ駆動信号を印加する方法を示した図である。
【０１４４】
図１１及び図１２では、横方向の３つのタッチ電極群Ｇｒ１〜Ｇｒ３のうち、タッチセンシングが行われるタッチセンシング電極群（同一の行ライン（Ｒｏｗ Ｌｉｎｅ）の電極の集合体）がＳ１１，Ｓ１２，Ｓ１３，Ｓ１４を含むＧｒ１であることを例に挙げる。
【０１４５】
図１１を参照すると、複数の電極Ｓ１１〜Ｓ１４，Ｓ２１〜Ｓ２４，Ｓ３１〜Ｓ３４にタッチ駆動信号Ｖｔｄが信号ラインＳＬ１１，ＳＬ２１，ＳＬ３１，ＳＬ１２，ＳＬ２２，ＳＬ３２，ＳＬ１３，ＳＬ２３，ＳＬ３３，ＳＬ１４，ＳＬ２４，ＳＬ３４を通じて全て印加できるようになる。つまり、横方向の３つのタッチ電極群Ｇｒ１〜Ｇｒ３の全てにタッチ駆動信号Ｖｔｄを印加することができる。
【０１４６】
更に他の印加方式では、図１２に示すように、タッチ駆動信号を、複数の電極Ｓ１１〜Ｓ１４，Ｓ２１〜Ｓ２４，Ｓ３１〜Ｓ３４の一部のみに印加することができる。
【０１４７】
更に詳しくは、図１２を参照すると、タッチ駆動信号は、タッチセンシング電極群Ｇｒ１に含まれるＳ１１，Ｓ１２，Ｓ１３，Ｓ１４に当該信号ラインＳＬ１１，ＳＬ１２，ＳＬ１３，ＳＬ１４を通じて印加される。
【０１４８】
尚、タッチ駆動信号は、タッチセンシング電極群Ｇｒ１を除いた残りの電極群Ｇｒ２，Ｇｒ３に含まれる電極Ｓ２１，Ｓ２２，Ｓ２３，Ｓ２４，Ｓ３１，Ｓ３２，Ｓ３３，Ｓ３４には印加されなくてもよい。
【０１４９】
一方、図１２を参照すると、タッチセンシングの効率のために、タッチ駆動信号は、タッチセンシング電極群Ｇｒ１に含まれるＳ１１，Ｓ１２，Ｓ１３，Ｓ１４に印加されると同時に、タッチセンシング電極群Ｇｒ１に隣り合う電極群Ｇｒ２に含まれる電極Ｓ２１，Ｓ２２，Ｓ２３，Ｓ２４にも当該信号ラインＳＬ２１，ＳＬ２２，ＳＬ２３，ＳＬ２４を通じて印加されてもよい。
【０１５０】
尚、タッチ駆動信号は、タッチセンシング電極群Ｇｒ１に隣り合わない電極群Ｇｒ３に含まれる電極Ｓ３１，Ｓ３２，Ｓ３３，Ｓ３４には印加されない。
【０１５１】
図９乃至図１２を参照して前述したように、タッチ駆動信号がタッチ電極の役割を果たす複数の電極Ｓ１１〜Ｓ１４，Ｓ２１〜Ｓ２４，Ｓ３１〜Ｓ３４の一部のみに印加されることにより、タッチスクリーンパネル一体型表示装置１００の消費電力を減らすことができる。
【０１５２】
以下では、図１３乃至図１６を参照して、駆動モードがタッチ駆動モードである場合、データライン及びゲートラインにタッチ駆動信号を印加する方法について説明する。
【０１５３】
図１３及び図１４は、本発明の一実施形態によるタッチスクリーンパネル一体型表示装置１００において、タッチ電極列（縦方向のタッチ電極群）別にタッチセンシングを行う場合に、データライン及びゲートラインにタッチ駆動信号を印加する方法を示した図である。
【０１５４】
図１３及び図１４では、縦方向の４つのタッチ電極群Ｇｃ１〜Ｇｃ４のうち、タッチセンシングが行われるタッチセンシング電極群（同一の列ライン（Ｃｏｌｕｍｎ Ｌｉｎｅ）の電極の集合体）がＳ１２，Ｓ２２，Ｓ３２を含むＧｃ２であることを例に挙げる。
【０１５５】
図１３を参照すると、寄生キャパシタ（Ｃｐａｒａ）が形成されないように、データ駆動部１２０及び／又はゲート駆動部１３０は、パネル１１０に形成された複数のデータラインＤＬ及び／又は複数のゲートラインＧＬの全てにタッチ駆動信号Ｖｔｄ又はこれに対応する信号を印加することができる。つまり、タッチ駆動信号Ｖｔｄ又はこれに対応する信号を、縦方向の４つのタッチ電極群Ｇｃ１〜Ｇｃ４に対応する全てのデータライン及び／又は全てのゲートラインに印加することができる。
【０１５６】
また、他の印加方法として、図１４を参照すると、駆動モードがタッチ駆動モードである場合、データ駆動部１２０は、タッチ駆動信号又はタッチ駆動信号に対応する信号を複数のデータラインＤＬの一部に印加することができる。
【０１５７】
図１４を参照すると、データ駆動部１２０がタッチ駆動信号又はタッチ駆動信号に対応する信号を複数のデータラインＤＬの一部に印加する場合、複数の電極群Ｇｃ１〜Ｇｃ４の中から選択されたタッチセンシング電極群Ｇｃ２に対応する少なくとも一つのデータライン１４００にタッチ駆動信号又はタッチ駆動信号に対応する信号を印加することができる。このような部分印加方式は、図１３の全体印加方式に比して、消費電力を大幅に減らすことができる。
【０１５８】
一方、図１４を参照すると、データ駆動部１２０は、タッチセンシング電極群Ｇｃ２に対応する少なくとも一つのデータライン１４００にタッチ駆動信号又はタッチ駆動信号に対応する信号を印加する際、タッチセンシング電極群Ｇｃ２に隣り合う電極群Ｇｃ１，Ｇｃ３に対応する少なくとも一つのデータライン１４１０，１４２０にタッチ駆動信号又はタッチ駆動信号に対応する信号を更に印加することができる。これによって、タッチセンシングの正確度をより向上することができる。
【０１５９】
図１４に示したように、データ駆動部１２０がタッチ駆動信号又はタッチ駆動信号に対応する信号を複数のデータラインＤＬの一部に印加する場合、複数のゲートラインＧＬの全体にタッチ駆動信号又はタッチ駆動信号に対応する信号をゲート駆動部１３０を介して印加することができる。
【０１６０】
図１４に示すように、データ駆動部１２０がタッチ駆動信号又はタッチ駆動信号に対応する信号を複数のデータラインＤＬの一部に印加する場合、複数の電極群Ｇｃ１〜Ｇｃ４のそれぞれは、複数の電極Ｓ１１〜Ｓ１４，Ｓ２１〜Ｓ２４，Ｓ３１〜Ｓ３４のうち第１方向に沿って同一の列（Ｃｏｌｕｍｎ）に形成された２つ以上の電極の集合体である。
【０１６１】
図１５及び図１６は、本発明の一実施形態によるタッチスクリーンパネル一体型表示装置１００において、タッチ電極行（横方向のタッチ電極群）Ｇｒ１，Ｇｒ２，Ｇｒ３別にタッチセンシングを行う場合に、データライン及びゲートラインにタッチ駆動信号を印加する方法を示した図である。
【０１６２】
図１５及び図１６では、横方向の３つのタッチ電極群Ｇｒ１〜Ｇｒ３のうち、タッチセンシングが行われるタッチセンシング電極群（同一の行ライン（Ｒｏｗ  Ｌｉｎｅ）の電極の集合体）がＳ１１，Ｓ１２，Ｓ１３，Ｓ１４を含むＧｒ１であることを例に挙げる。
【０１６３】
図１５を参照すると、寄生キャパシタ（Ｃｐａｒａ）が形成されないように、データ駆動部１２０及び／又はゲート駆動部１３０は、パネル１１０に形成された複数のデータラインＤＬ及び／又は複数のゲートラインＧＬの全てにタッチ駆動信号Ｖｔｄ又はこれに対応する信号を印加することができる。つまり、タッチ駆動信号Ｖｔｄ又はこれに対応する信号を、横方向の３つのタッチ電極群Ｇｒ１〜Ｇｒ３に対応する全てのデータライン及び／又は全てのゲートラインに印加することができる。
【０１６４】
更に他の印加方法として、図１６を参照すると、駆動モードがタッチ駆動モードである場合、ゲート駆動部１３０は、タッチ駆動信号又はタッチ駆動信号に対応する信号を複数のゲートラインＧＬの一部に印加することができる。
【０１６５】
図１６を参照すると、ゲート駆動部１３０は、タッチ駆動信号又はタッチ駆動信号に対応する信号を複数のゲートラインＧＬの一部に印加する場合、複数の電極群Ｇｒ１〜Ｇｒ３の中から選択されたタッチセンシング電極群Ｇｒ１に対応する少なくとも一つのゲートライン１６００にタッチ駆動信号又はタッチ駆動信号に対応する信号を印加することができる。このような部分印加方式は、図１５の全体印加方式に比して、消費電力を大幅に減らすことができる。
【０１６６】
一方、図１６を参照すると、ゲート駆動部１３０は、タッチセンシング電極群Ｇｒ１に対応する少なくとも一つのゲートライン１６００にタッチ駆動信号又はタッチ駆動信号に対応する信号を印加する際、タッチセンシング電極群Ｇｒ１に隣り合う電極群Ｇｒ２に対応する少なくとも一つのゲートライン１６１０にタッチ駆動信号又はタッチ駆動信号に対応する信号を更に印加することができる。これによって、タッチセンシングの正確度をより向上することができる。
【０１６７】
図１６に示すように、ゲート駆動部１３０がタッチ駆動信号又はタッチ駆動信号に対応する信号を複数のゲートラインＧＬの一部に印加する場合、複数のデータラインＤＬの全体にタッチ駆動信号又はタッチ駆動信号に対応する信号を、データ駆動部１２０を介して印加することができる。
【０１６８】
図１６に示すように、ゲート駆動部１３０がタッチ駆動信号又はタッチ駆動信号に対応する信号を複数のゲートラインＧＬの一部に印加する場合、複数の電極群Ｇｒ１〜Ｇｒ３のそれぞれは、複数の電極Ｓ１１〜Ｓ１４，Ｓ２１〜Ｓ２４，Ｓ３１〜Ｓ３４のうち第２方向に沿って同一の行（Ｒｏｗ）に形成された２つ以上の電極の集合体である。
【０１６９】
図１７は、本発明の一実施形態によるタッチスクリーンパネル一体型表示装置１００において、タッチ電極の役割を果たす複数の電極Ｓ１１〜Ｓ１４，Ｓ２１〜Ｓ２４，Ｓ３１〜Ｓ３４それぞれがくし形を含むパターンである場合の、Ｓ１１電極が形成された単位タッチ電極領域を示す平面図である。
【０１７０】
共通電極及びタッチ電極の両方の役割が可能な複数の電極Ｓ１１〜Ｓ１４，Ｓ２１〜Ｓ２４，Ｓ３１〜Ｓ３４のそれぞれは、図１乃至図１６に示すように、ブロック形のパターンであってもよいが、図１７に示す電極Ｓ１１のように、高い開口率、広い広視野角などのために、くし形のパターンであってもよい。
【０１７１】
図１８は、本発明の一実施形態によるタッチスクリーンパネル一体型表示装置１００において、タッチ電極の役割を果たす複数の電極Ｓ１１〜Ｓ１４，Ｓ２１〜Ｓ２４，Ｓ３１〜Ｓ３４それぞれがくし形を含むパターンである場合の、単位タッチ電極領域の断面図である。
【０１７２】
図１８を参照すると、本発明の一実施形態によるタッチスクリーンパネル一体型表示装置１００に含まれるパネル１１０には、一例として、下部基板１８００の上にゲートライン１８０２が第２方向（横方向、図１８で左右方向）に沿って形成され、その上にゲート絶縁層１８０４が形成される。
【０１７３】
ゲート絶縁層１８０４の上にデータライン１８０６が第１方向（縦方向、図１８で紙面に対する垂直方向）に沿って形成され、その上に第１保護層（Ｐａｓｓｉｖａｔｉｏｎ  Ｌａｙｅｒ）４０８が形成される。
【０１７４】
第１保護層１８０８の上に各画素領域の画素電極１８１０と信号ライン１８１２とが形成され、その上に第２保護層１８１４が形成される。ここで、信号ライン１８１２は、共通電極及びタッチ電極の役割を果たす複数の電極Ｓ１１〜Ｓ１４，Ｓ２１〜Ｓ２４，Ｓ３１〜Ｓ３４のそれぞれからタッチ集積回路１４０まで連結され、タッチ駆動モードにおいてタッチ駆動信号を伝達するラインである。
【０１７５】
第２保護層１８１４の上に共通電極及びタッチ電極の役割を果たす一つの電極１８１６が形成され、その上に液晶層１８１８が形成される。ここで、共通電極及びタッチ電極の役割を果たす一つの電極１８１６は、複数の電極Ｓ１１〜Ｓ１４，Ｓ２１〜Ｓ２４，Ｓ３１〜Ｓ３４のいずれか一つとして、各くし形の部分が複数個に分かれているものが図１８に示されている。
【０１７６】
液晶層１８１８の上にブラックマトリックス（Ｂｌａｃｋ  Ｍａｔｒｉｘ）、カラーフィルター（Ｃｏｌｏｒ  Ｆｉｌｔｅｒ）などが形成される上部基板１８２０が配置される。
【０１７７】
以上で説明したように、本発明によれば、タッチ駆動の負荷を大きくしてタッチセンシングの正確度を低下したり、タッチセンシング自体を不可能にする虞がある寄生キャパシタンスの形成を防止するタッチスクリーンパネル一体型表示装置１００及びその駆動方法を提供することができる。
【０１７８】
また、本発明によれば、従来は寄生キャパシタンスのために具現化できなかった中大型以上のタッチスクリーンパネル一体型表示装置１００を提供することができる。
【０１７９】
以上の説明及び添付した図は、本発明の技術的思想を例示的に説明したに過ぎないものであって、本発明が属する技術分野において通常の知識を有する者であれば、本発明の本質的な特性から外れない範囲で多様な修正及び変形が可能である。従って、本発明に開示された実施形態は本発明の技術思想を限定するためのものではなく、説明するためのものであって、このような実施形態により本発明の技術思想の範囲が限定されるものではない。本発明の保護範囲は特許請求の範囲により解釈されるべきであり、それと同等な範囲内にある全ての技術的思想は本発明の権利範囲に含まれるものと解釈されるべきである。
【符号の説明】
【０１８０】
１００  タッチスクリーンパネル一体型表示装置
１１０  パネル
１２０  データ駆動部
１３０  ゲート駆動部
１４０  タッチ集積回路
４００  下部基板
４０２  ゲートライン
４０６  データライン
４１０  画素電極
４１２  信号ライン
４１６  電極（共通電極、タッチ電極）
４１８  液晶層
４２０  上部基板
【図１】
0005964929.tif 000002
【図２】
0005964929.tif 000003
【図３】
0005964929.tif 000004
【図４】
0005964929.tif 000005
【図５】
0005964929.tif 000006
【図６】
0005964929.tif 000007
【図７】
0005964929.tif 000008
【図８】
0005964929.tif 000009
【図９】
0005964929.tif 000010
【図１０】
0005964929.tif 000011
【図１１】
0005964929.tif 000012
【図１２】
0005964929.tif 000013
【図１３】
0005964929.tif 000014
【図１４】
0005964929.tif 000015
【図１５】
0005964929.tif 000016
【図１６】
0005964929.tif 000017
【図１７】
0005964929.tif 000018
【図１８】
0005964929.tif 000019